(57)【特許請求の範囲】
【請求項１】
導光板と、
前記導光板の側面部分の端面に対向して、前記端面のそれぞれに対し複数枚配置され、前記導光板に光を入射させる複数のＬＥＤが搭載されたＬＥＤ基板と、
を備えたバックライト装置において、
前記導光板の長手方向の端面に対向する長辺に配置する前記複数枚のＬＥＤ基板は、前記複数枚のＬＥＤ基板の長辺方向の長さをそれぞれ同じ長さとし、且つ、前記導光板の短手方向の端面に対向する短辺に配置する前記複数枚のＬＥＤ基板は、前記複数枚のＬＥＤ基板の長辺方向の長さをそれぞれ同じ長さとし、
前記複数枚のＬＥＤ基板は、前記導光板における４辺の前記端面に沿ってそれぞれ配置すると共に、前記導光板の長手方向の端面に対向する長辺において、前記長手方向の軸に対して重ならないように、前記対向する長辺で前記複数枚のＬＥＤ基板を交互にずらして配置させ、且つ、前記導光板の短手方向の端面に対向する短辺において、前記短手方向の軸に対して重ならないように、前記対向する短辺で前記複数枚のＬＥＤ基板を交互にずらして配置させることを特徴とするバックライト装置。
【請求項２】
導光板と、
前記導光板の側面部分の端面に対向して、前記端面のそれぞれに対し複数枚配置され、前記導光板に光を入射させる複数のＬＥＤが搭載されたＬＥＤ基板と、
を備えたバックライト装置において、
前記導光板の長手方向の端面に対向する長辺に配置する前記複数枚のＬＥＤ基板は、前記複数枚のＬＥＤ基板の長辺方向の長さをそれぞれ同じ長さとし、且つ、前記導光板の短手方向の端面に対向する短辺に配置する前記複数枚のＬＥＤ基板は、前記複数枚のＬＥＤ基板の長辺方向の長さをそれぞれ同じ長さとし、
前記複数枚のＬＥＤ基板が配置されていない前記端面領域にＬＥＤ光源の発熱を放熱するための放熱部を備えることを特徴とするバックライト装置。
【請求項３】
前記放熱部と前記導光板との隙間に断熱構造を備えた保持部を備えることを特徴とする請求項２に記載のバックライト装置。
【請求項４】
導光板と、
前記導光板の側面部分の端面に対向して、前記端面のそれぞれに対し複数枚配置され、前記導光板に光を入射させる複数のＬＥＤが搭載されたＬＥＤ基板と、
を備えたバックライト装置において、
前記導光板の長手方向の端面に対向する長辺に配置する前記複数枚のＬＥＤ基板は、前記複数枚のＬＥＤ基板の長辺方向の長さをそれぞれ同じ長さとし、且つ、前記導光板の短手方向の端面に対向する短辺に配置する前記複数枚のＬＥＤ基板は、前記複数枚のＬＥＤ基板の長辺方向の長さをそれぞれ同じ長さとし、
前記導光板の四隅の角部には、前記長手方向のＬＥＤ基板か、若しくは前記短手方向のＬＥＤ基板のどちらか一方のＬＥＤ基板のみを配置することを特徴とするバックライト装置。
【請求項５】
前記導光板の長手方向の端面に対向する長辺に配置する前記複数枚のＬＥＤ基板と、前記導光板の短手方向の端面に対向する短辺に配置する前記複数枚のＬＥＤ基板は、長辺方向の長さを同じ長さとすることを特徴とする請求項１乃至４のいずれか１項に記載のバックライト装置。
【請求項６】
請求項１乃至５のいずれか１項に記載のバックライト装置と、
画像を表示する表示面を有する表示モジュールと、
を備えてなることを特徴とする画像表示装置。
【請求項７】
導光板と、
前記導光板の側面部分の端面に対向して、前記端面のそれぞれに対し複数枚配置され、前記導光板に光を入射させる複数のＬＥＤが搭載されたＬＥＤ基板と、
を備えたバックライト装置の組立方法において、
前記導光板の長手方向の端面に対向する長辺に配置する前記複数枚のＬＥＤ基板は、前記複数枚のＬＥＤ基板の長辺方向の長さをそれぞれ同じ長さとし、且つ、前記導光板の短手方向の端面に対向する短辺に配置する前記複数枚のＬＥＤ基板は、前記複数枚のＬＥＤ基板の長辺方向の長さをそれぞれ同じ長さとしたものを使用し、
前記複数枚のＬＥＤ基板は、前記導光板における４辺の前記端面に沿ってそれぞれ配置すると共に、前記導光板の長手方向の端面に対向する長辺において、前記長手方向の軸に対して重ならないように、前記対向する長辺で前記複数枚のＬＥＤ基板を交互にずらして配置させ、且つ、前記導光板の短手方向の端面に対向する短辺において、前記短手方向の軸に対して重ならないように、前記対向する短辺で前記複数枚のＬＥＤ基板を交互にずらして配置させることを特徴とするバックライト装置の組立方法。
【発明の詳細な説明】
【技術分野】
【０００１】
本発明は、バックライト装置と前記バックライト装置を備えた画像表示装置及びバックライト装置の組立方法に係り、特に、発光ダイオード（ＬＥＤ）等の点光源を複数用いて導光板の側面（端面）より入射することにより、表示パネルの裏面から光を照射するバックライト装置、画像表示装置及びバックライト装置の組立方法に関する。
【背景技術】
【０００２】
近年、液晶パネル等の表示モジュールを用いて画像を表示する画像表示装置（例えば、ディスプレイ装置やテレビジョン装置等）の画面の大型化に伴い、画像表示装置本体の厚みをできるだけ薄くする薄型化や軽量化が求められている。この画像表示装置本体を薄型化、軽量化するためには、画像表示装置本体内の容量や重量の多くを占める表示モジュールまたは筐体内部を薄型化、軽量化する必要がある。また、表示モジュールに液晶パネルを用いた場合はバックライト装置が必要となり、表示モジュールの薄型化を進めるためには、このバックライト装置の薄型化も一つの重要なテーマとなる。
【０００３】
バックライト装置を薄型化するために、導光板の端面にＬＥＤ光源を配置するエッジライト方式のバックライトシステムが各種提案されている。このようにＬＥＤ光源を導光板の端面に配置することにより、バックライト装置の薄型化が可能である。
【０００４】
このようなＬＥＤを光源としたエッジライト方式のバックライトシステムとして、例えば、特許文献１に示す構成が開示されている。
【０００５】
この特許文献１では、導光板の対向する上下のエッジ（端面）に、光源からの光軸が重ならないように上下のＬＥＤ素子を交互に配置した構成が提案されている。この上下のＬＥＤ素子群において、対向する上下のＬＥＤ素子の光軸が重ならないので、導光板の中心部の輝度が特に高くなることは無く、導光板における輝度ムラを解消し、導光板が比較的均一に発光できるようにしている。
【先行技術文献】
【特許文献】
【０００６】
【特許文献１】特開２００４−７９４８８号公報（図４〜図６）
【発明の概要】
【発明が解決しようとする課題】
【０００７】
しかしながら、前記従来の特許文献１に開示されたバックライトシステムでは、導光板の上下二辺または四辺の端面にＬＥＤ光源を交互に複数配置した構成となっているため、例えば、特許文献１の図１１に示すように、ＬＥＤ光源を実装するプリント基板（ＬＥＤ基板）を各辺個別の仕様で作成しなければならないので、ＬＥＤ基板のコストがかかるだけでなく、製造・組立時においても、各ＬＥＤ基板へのＬＥＤ光源の実装や組み付けを個別に対応する必要があるなど、手間とコストがかかる問題点があった。
【０００８】
また、特に、図４のように上下二辺にＬＥＤ光源を配置した場合、光源の配置されていない導光板の両側辺の端面と比べて、光源の配置されている上下辺の端面では、光源に起因する熱源が集中して画像表示装置本体における画像表示面外側の額縁部分の温度が上昇してしまうことになる。このため、光源の配置されている２辺に対して放熱対策を行なう必要があり、この結果、画像表示装置本体の薄型化や狭額縁化の実現に困難を来たしたり、放熱対策によるコストアップが生じたりする等の問題点があった。
【０００９】
そこで、本発明が解決しようとする課題は、ＬＥＤを光源としたエッジライト方式のバックライトシステムにおいて、ＬＥＤ基板の長さを一種類又は二種類に共通化できてコストダウンを図ることができ、且つ、導光板の端面にＬＥＤを効率的に配置することができ、これにより、放熱対策を行なってもバックライトや画像表示装置の薄型化や狭額縁化を実現できると共に、ＬＥＤ光源の経時変化が全体的に均一化されることにより、バックライトの長寿命化が実現できるバックライト装置、画像表示装置及びバックライト装置の組立方法を提供することにある。
【課題を解決するための手段】
【００１０】
請求項１の発明は、導光板（８）と、前記導光板（８）の側面部分の端面（８ａ）に対向して、前記端面（８ａ）のそれぞれに対し複数枚配置され、前記導光板（８）に光を入射させる複数のＬＥＤ（１２）が搭載されたＬＥＤ基板（１１）と、を備えたバックライト装置において、前記導光板（８）の長手方向の端面（８ａ）に対向する長辺に配置する前記複数枚のＬＥＤ基板（１１０ａ，１１０ｃ，１１１ａ，１１１ｃ）は、前記複数枚のＬＥＤ基板（１１０ａ，１１０ｃ，１１１ａ，１１１ｃ）の長辺方向の長さをそれぞれ同じ長さとし、且つ、前記導光板（８）の短手方向の端面（８ａ）に対向する短辺に配置する前記複数枚のＬＥＤ基板（１１０ｂ，１１０ｄ，１１１ｂ，１１１ｄ）は、前記複数枚のＬＥＤ基板（１１０ｂ，１１０ｄ，１１１ｂ，１１１ｄ）の長辺方向の長さをそれぞれ同じ長さとし、前記複数枚のＬＥＤ基板（１１）は、前記導光板（８）における４辺の前記端面（８ａ）に沿ってそれぞれ配置すると共に、前記導光板（８）の長手方向の端面（８ａ）に対向する長辺において、前記長手方向の軸に対して重ならないように、前記対向する長辺で前記複数枚のＬＥＤ基板（１１０ａ，１１０ｃ，１１１ａ，１１１ｃ，１１２ａ，１１２ｃ）を交互にずらして配置させ、且つ、前記導光板（８）の短手方向の端面（８ａ）に対向する短辺において、前記短手方向の軸に対して重ならないように、前記対向する短辺で前記複数枚のＬＥＤ基板（１１０ｂ，１１０ｄ，１１１ｂ，１１１ｄ，１１２ｂ，１１２ｄ）を交互にずらして配置させることを特徴とする。
【００１１】
請求項２の発明は、導光板（８）と、前記導光板（８）の側面部分の端面（８ａ）に対向して、前記端面（８ａ）のそれぞれに対し複数枚配置され、前記導光板（８）に光を入射させる複数のＬＥＤ（１２）が搭載されたＬＥＤ基板（１１）と、を備えたバックライト装置において、前記導光板（８）の長手方向の端面（８ａ）に対向する長辺に配置する前記複数枚のＬＥＤ基板（１１０ａ，１１０ｃ，１１１ａ，１１１ｃ）は、前記複数枚のＬＥＤ基板（１１０ａ，１１０ｃ，１１１ａ，１１１ｃ）の長辺方向の長さをそれぞれ同じ長さとし、且つ、前記導光板（８）の短手方向の端面（８ａ）に対向する短辺に配置する前記複数枚のＬＥＤ基板（１１０ｂ，１１０ｄ，１１１ｂ，１１１ｄ）は、前記複数枚のＬＥＤ基板（１１０ｂ，１１０ｄ，１１１ｂ，１１１ｄ）の長辺方向の長さをそれぞれ同じ長さとし、前記複数枚のＬＥＤ基板（１１）が配置されていない前記端面領域にＬＥＤ光源の発熱を放熱するための放熱部（２ＲＴａ１〜２ＲＲｄ２）を備えることを特徴とする。
【００１２】
請求項３の発明は、請求項２に記載のバックライト装置において、前記放熱部（２ＲＴａ１〜２ＲＲｄ２）と前記導光板（８）との隙間に断熱構造を備えた保持部（２ＲＴｈ，２ＲＢｈ，２ＲＬｈ，２ＲＲｈ）を備えることを特徴とする。
【００１３】
請求項４の発明は、導光板（８）と、前記導光板（８）の側面部分の端面（８ａ）に対向して、前記端面（８ａ）のそれぞれに対し複数枚配置され、前記導光板（８）に光を入射させる複数のＬＥＤ（１２）が搭載されたＬＥＤ基板（１１）と、を備えたバックライト装置において、前記導光板（８）の長手方向の端面（８ａ）に対向する長辺に配置する前記複数枚のＬＥＤ基板（１１０ａ，１１０ｃ，１１１ａ，１１１ｃ）は、前記複数枚のＬＥＤ基板（１１０ａ，１１０ｃ，１１１ａ，１１１ｃ）の長辺方向の長さをそれぞれ同じ長さとし、且つ、前記導光板（８）の短手方向の端面（８ａ）に対向する短辺に配置する前記複数枚のＬＥＤ基板（１１０ｂ，１１０ｄ，１１１ｂ，１１１ｄ）は、前記複数枚のＬＥＤ基板（１１０ｂ，１１０ｄ，１１１ｂ，１１１ｄ）の長辺方向の長さをそれぞれ同じ長さとし、前記導光板（８）の四隅の角部には、前記長手方向のＬＥＤ基板（１１０ａ，１１０ｃ，１１１ａ，１１１ｃ，１１２ａ，１１２ｃ）か、若しくは前記短手方向のＬＥＤ基板（１１０ｂ，１１０ｄ，１１１ｂ，１１１ｄ，１１２ｂ，１１２ｄ）のどちらか一方のＬＥＤ基板のみを配置することを特徴とする。
【００１４】
請求項５の発明は、請求項１乃至４のいずれか１項に記載のバックライト装置において、前記導光板（８）の長手方向の端面（８ａ）に対向する長辺に配置する前記複数枚のＬＥＤ基板（１１２ａ，１１２ｃ）と、前記導光板（８）の短手方向の端面（８ａ）に対向する短辺に配置する前記複数枚のＬＥＤ基板（１１２ｂ，１１２ｄ）は、長辺方向の長さを同じ長さとすることを特徴とする。
【００１５】
請求項６の発明は、請求項１乃至５のいずれか１項に記載のバックライト装置と、画像を表示する表示面４ａを有する表示モジュール（４）と、を備えてなることを特徴とする画像表示装置（５０）である。
【００１６】
請求項７の発明は、導光板（８）と、前記導光板（８）の側面部分の端面（８ａ）に対向して、前記端面（８ａ）のそれぞれに対し複数枚配置され、前記導光板（８）に光を入射させる複数のＬＥＤ（１２）が搭載されたＬＥＤ基板（１１）と、を備えたバックライト装置の組立方法において、前記導光板（８）の長手方向の端面（８ａ）に対向する長辺に配置する前記複数枚のＬＥＤ基板（１１０ａ，１１０ｃ，１１１ａ，１１１ｃ）は、前記複数枚のＬＥＤ基板（１１０ａ，１１０ｃ，１１１ａ，１１１ｃ）の長辺方向の長さをそれぞれ同じ長さとし、且つ、前記導光板（８）の短手方向の端面（８ａ）に対向する短辺に配置する前記複数枚のＬＥＤ基板（１１０ｂ，１１０ｄ，１１１ｂ，１１１ｄ）は、前記複数枚のＬＥＤ基板（１１０ｂ，１１０ｄ，１１１ｂ，１１１ｄ）の長辺方向の長さをそれぞれ同じ長さとしたものを使用し、前記複数枚のＬＥＤ基板（１１）は、前記導光板（８）における４辺の前記端面（８ａ）に沿ってそれぞれ配置すると共に、前記導光板（８）の長手方向の端面（８ａ）に対向する長辺において、前記長手方向の軸に対して重ならないように、前記対向する長辺で前記複数枚のＬＥＤ基板（１１０ａ，１１０ｃ，１１１ａ，１１１ｃ，１１２ａ，１１２ｃ）を交互にずらして配置させ、且つ、前記導光板（８）の短手方向の端面（８ａ）に対向する短辺において、前記短手方向の軸に対して重ならないように、前記対向する短辺で前記複数枚のＬＥＤ基板（１１０ｂ，１１０ｄ，１１１ｂ，１１１ｄ，１１２ｂ，１１２ｄ）を交互にずらして配置させることを特徴とする。
【発明の効果】
【００１９】
本発明のバックライト装置及び画像表示装置によれば、導光板の長手方向の端面に対向する長辺に配置する複数枚のＬＥＤ基板は、前記複数枚のＬＥＤ基板の長辺方向の長さをそれぞれ同じ長さとし、且つ、導光板の短手方向の端面に対向する短辺に配置する複数枚のＬＥＤ基板は、前記複数枚のＬＥＤ基板の長辺方向の長さをそれぞれ同じ長さとして導光板の端面に配置することにより、複数枚のＬＥＤ基板やＬＥＤドライバの仕様も共通化することが可能であり、複数枚のＬＥＤ基板やＬＥＤドライバ及び放熱対策などのコストダウンを実現することが可能である。
【００２０】
また、複数枚のＬＥＤ基板を導光板の４辺の端面に沿ってそれぞれ配置すると共に、導光板の長手方向に対向する長辺において、長手方向の軸に対して重ならないように、対向する長辺で複数枚のＬＥＤ基板を交互にずらして配置させ、且つ、導光板の短手方向に対向する短辺において、短手方向の軸に対して重ならないように、対向する短辺で複数枚のＬＥＤ基板を交互にずらして配置させて構成している。そのため、光源に起因する熱量が一部の辺に集中することがなく、熱源が４辺に分散されるので、画像表示装置本体における画像表示面外側の額縁部分の温度上昇を抑えることができると共に、額縁部分の温度を均一化することができる効果がある。
【００２１】
さらに、バックライトの四隅、即ち、導光板の四隅の角部において、長手方向のＬＥＤ基板か、若しくは短手方向のＬＥＤ基板のどちらか一方のＬＥＤ基板のみを配置する構成としたので、導光板の四隅の角部で光量が集中することが無く、熱の集中によるＬＥＤの駆動効率の悪化を抑制することができるので、バックライト全体におけるＬＥＤ光源の経時変化が均一化され、バックライト装置や画像表示装置の製品寿命を従来よりも長くすることができる。
【００２２】
さらに、導光板の端面において、複数枚のＬＥＤ基板を配置していない領域、即ち、複数枚のＬＥＤ基板間の隙間にあたる領域に対して、ＬＥＤ光源の発熱を放熱するための放熱部を備えることにより、画像表示装置本体の薄型化や狭額縁化を実現したバックライト装置及び画像表示装置を提供することができる、という効果がある。
【００２３】
また、本発明のバックライト装置の組立方法によれば、導光板の長手方向の端面に対向する長辺に配置する複数枚のＬＥＤ基板は、前記複数枚のＬＥＤ基板の長辺方向の長さをそれぞれ同じ長さとし、且つ、導光板の短手方向の端面に対向する短辺に配置する複数枚のＬＥＤ基板は、前記複数枚のＬＥＤ基板の長辺方向の長さをそれぞれ同じ長さとしたものを使用するため、製造・組立時に、各ＬＥＤ基板へのＬＥＤの実装や、バックライト装置へのＬＥＤ基板の組み付けを共通化できて作業を容易に行うことができると共に、ＬＥＤ基板やＬＥＤドライバ及び放熱対策などのコストダウンを図ることができ、また、光源に起因する熱量が一部の辺に集中することがなく、熱源が４辺に分散されるので、画像表示装置本体における画像表示面外側の額縁部分の温度上昇を抑えることができると共に、額縁部分の温度を均一化することができる。
【図面の簡単な説明】
【００２４】
【図１】本発明の一実施形態の画像表示装置の全体構成を示す斜視図である。
【図２】上記画像表示装置を分解した斜視図である。
【図３】上記画像表示装置に用いるＬＥＤ基板の斜視図である。
【図４】上記ＬＥＤ基板の取付構造を一部断面で示す斜視図である。
【図５】上記画像表示装置の要部の断面図である。
【図６】上記画像表示装置内部のバックライト装置におけるＬＥＤ基板の配置構成及び組立方法の一例を示す構成図である。
【図７】図６のＬＥＤ基板の配置をわかりやすく説明するための図である。
【図８】上記画像表示装置におけるバックライトの要部の一例を示した構成図である。
【図９】上記画像表示装置内部のバックライト装置におけるＬＥＤ基板の他の配置構成及び組立方法の一例を示す図である。
【図１０】上記画像表示装置内部のバックライト装置におけるＬＥＤ基板の別の配置構成及び組立方法の一例を示す図である。
【発明を実施するための形態】
【００２５】
本発明の実施の形態を、好ましい実施例により図１〜図１０を用いて説明する。
【００２６】
図１は、本発明の画像表示装置の全体構成を示す斜視図であり、正面右上方から見た図である。ここでは、表示画面が見える方を正面と称することにする。
【００２７】
この実施例の画像表示装置５０は、外部から入来した映像信号を表示するモニターである。また、画面サイズは、３０型以上の大型サイズを想定しているが、本実施例では４２型の場合について説明する。また、表示パネルとして液晶パネルを用いた例を説明する。
【００２８】
図１において、画像表示装置５０は、枠状に形成されたフロント側筐体１と、リア側筐体２とが組み合わされた筐体３を有している。
【００２９】
筐体３は、液晶パネル４を収納しており、液晶パネル４の画像表示部である表示面４ａがフロント側筐体１に設けられた矩形の開口部１ａから外部に露出している。
【００３０】
また、筐体３は、筐体３の背面側（図１の紙面奥側）に取り付けられたスタンド５により支持され、画像表示装置５０は床面等に設置できるようになっている。また、スタンド５を外し、吊り下げ具などを取り付けることにより、筐体３のみを天吊りで設置することや、壁掛けとして設置することもできる。
【００３１】
フロント側筐体１は、その左右の端まで延在する部分を有する上枠１ｕｅ及び下枠１ｓｔと、上下枠１ｕｅ，１ｓｔをその左右端で上下方向に繋ぐよう連結された左枠１ｈｄ及び右枠１ｍｇとにより矩形枠状とされている。この下枠１ｓｔの右方には、リモコン受光窓部１ｂが設けられている。
【００３２】
また、図示していないが、画像表示装置５０のリア側筐体２の背面下方側には、ＬＥＤ光源をドライブするための駆動回路が搭載されたＬＥＤ−ＤＲＶ基板や、液晶パネル４の表示を制御するためのタイミングコントローラ基板が備えられている。その他、画像表示装置５０の信号処理等の回路を搭載した基板や電源部（図示せず）も搭載されており、各種基板類や電源部は、基板カバーにより全体が覆われている。
【００３３】
図２は、本発明の画像表示装置５０を説明するための分解図である。
【００３４】
画像表示装置５０は、正面側から順に、フロント側筐体１、液晶パネル４、光学シート部６、パネルシャーシ７、導光板８、反射シート９、及びリア側筐体２を有して構成されている。
【００３５】
なお、図２において、液晶パネル４よりリア側に構成されている、光学シート部６以降リア側筐体２までの構成がバックライト装置である。
【００３６】
また、本実施形態では、画像表示装置５０の薄型化のため、フロント側筐体１とリア側筐体２とが共に、画像表示装置５０とバックライト装置との筐体を兼用した構造としているが、これに限定されることはなく、画像表示装置５０とバックライト装置とで別々の筐体によって構成されていてもよい。
【００３７】
フロント側筐体１は、上下左右の４つの枠１ｕｅ，１ｓｔ，１ｈｄ，及び１ｍｇが組み合わされて枠状とされており、この４つの枠１ｕｅ，１ｓｔ，１ｈｄ，及び１ｍｇの内側には、それぞれリブ１ＲＴ，１ＲＢ，１ＲＬ，１ＲＲがそれぞれ設けられており、フロント側筐体１の剛性を強化すると共に、筐体３内部で発生した熱を効率的に画像表示装置５０の外部へ放熱させている。
【００３８】
画像表示パネルである液晶パネル４の下辺端には、フレキシブル基板４ｆを介して液晶パネル４を駆動させるための回路を搭載したＬＣＤ−ＤＲＶ基板１０が一対連結されている。
【００３９】
また、液晶パネル４の左右辺からは、フィルム状の凸片４ｂが各辺から３箇所ずつそれぞれ突出している。
【００４０】
パネルシャーシ７は、樹脂を射出成形して枠上に形成されおり、凸片４ｂに対応した位置に、その凸片４ｂと干渉しないように凹んだ凹部７ａが設けられている。
【００４１】
リア側筐体２は、基板２ｓｋと、基板２ｓｋに取り付けられる４つのリブ体である上リブ体２ＲＴ、下リブ体２ＲＢ、左リブ体２ＲＬ、右リブ体２ＲＲと、を含んで構成されている。この４つのリブ体２ＲＴ，２ＲＢ，２ＲＬ，２ＲＲを設けることにより、リア側筐体２の剛性を強化すると共に、筐体３内部で発生した熱を効率的に画像表示装置５０の外部へ放熱させている。
【００４２】
基板２ｓｋは、例えば、厚さ１．０ｍｍのアルミニウム板にプレス等の加工を施して形成されている。各辺の端部は正面側に折り曲げられてフランジ部２ｆとなっている。
【００４３】
リブ体２ＲＴ，２ＲＢ，２ＲＬ，２ＲＲの互いに対向する面（それぞれが隣接するフランジ２ｆから遠い側）には、図３に示されるＬＥＤ基板１１が取り付けられている。
【００４４】
ＬＥＤ基板１１は、ベース基板１１ｋに光源であるＬＥＤ（発光ダイオード）１２が複数搭載されている。各ＬＥＤ１２は白色ＬＥＤである。
【００４５】
実施例の画像表示装置５０では、後述する図５に示すように、ＬＥＤ１２からの光を導光板８の側面部の端面８ａに入射させることで液晶パネルを発光させる。
【００４６】
また、ＬＥＤ基板１１は、導光板８の左右の辺及び上下の辺の各端面８ａに対応する位置に合計４辺設けられ、４辺それぞれから内部に入光するようになっている。
【００４７】
なお、後述するように、ＬＥＤ基板１１は、導光板８の上下左右全ての端面８ａを囲むように配置するのではなく、対向する長辺又は短辺でＬＥＤ基板１１を交互にずらして配置させるようにする。
【００４８】
ベース基板１１ｋは、具体的には、図３に示すように、ＬＥＤ基板１１の長辺（Ｌａ）が導光板８の端面８ａの長辺より短く、ＬＥＤ基板１１の短辺（Ｈａ）がリブ体の導光板８と対向する面の幅に対応するように細長板形状に形成されている。
【００４９】
複数のＬＥＤ１２は、ベース基板１１ｋの長手方向に連なるように、等ピッチで配置されている。ＬＥＤ１２には、アノード電極およびカソード電極がそれぞれ１つずつ設けられており、この電極間に電圧が印加されることによりＬＥＤ１２が点灯される。また、ベース基板１１ｋの一端側には、ＬＥＤ−ＤＲＶ基板へ接続するためのコネクタ１３が実装されている。
【００５０】
図４は、ＬＥＤ基板１１をリブ体２ＲＬに取り付けた状態を一部断面で示す斜視図である。この図４に示すように、ＬＥＤ基板１１の各リブ体への取り付け手段としては、例えば、放熱性のある粘着テープ１４を用いることができる。
【００５１】
図５は、本発明の画像表示装置５０の上リブ体２ＲＴ側における断面図である。
【００５２】
液晶パネル４は、パネルシャーシ７の上に緩衝材１５を介して配置されている。導光板８は、アクリルなどの透明な板状部材によって、液晶パネル４よりも僅かに大きいサイズで形成される。なお、入射した光を均一化して放出する導光板８は、例えば、ポリカーボネートなど他の材質によって形成されていてもよい。
【００５３】
画像表示装置５０の全体を薄型化するため、導光板８は１ｍｍ〜５ｍｍ程度のいずれかの値の厚みが採用される。導光板８は、液晶パネル４の裏面側をすべて覆うように液晶パネル４の装置後方側に配置される。光学シート部６は、拡散シートやプリズムシートなどを積層して形成されている。光学シート部６は、液晶パネル４と導光板８との間に配置される。
【００５４】
上述のように、ＬＥＤ１２は、白色光を出射する白色発光ダイオードが採用されている。具体的には、ＬＥＤ１２は、青色光を発する半導体発光素子の発光面に、青色光によって励起されて黄色光を出射する蛍光体層が積層されて構成されている。これにより、ＬＥＤ１２からは、青色光と黄色光との合成光である白色光が出射する。なお、ＬＥＤ１２は、青色光を発する半導体発光素子の発光面に、青色光によって励起されて赤色光を出射する第１蛍光体層および青色光によって励起されて緑色光を出射する第２蛍光体層が積層されて構成されていてもよい。これによっても、青色光、赤色光、および緑色光の合成光である白色光を得ることができる。ＬＥＤ１２は、外部環境から保護すべく、例えば可視領域において透明性の高い合成樹脂など、光学的に負荷が少ない封止材料によって封止されている。
【００５５】
ＬＥＤ１２、導光板８の端面８ａ、パネルシャーシ７、および反射シート９に囲まれる空間には光混合部１６が形成される。光混合部１６は、ＬＥＤ１２から発せられた光を、光度ムラを緩和しつつ導光板８の端面８ａに入射させる機能を有する。ＬＥＤ１２から発せられた光はこの光混合部１６を通過して、導光板８の端面８ａに直接入射するか、パネルシャーシ７の内面または反射シート９に反射された後に導光板８の端面８ａに入射する。端面８ａから導光板８の内部に入射した光は、その後、反射シート９によって拡散反射され、均一な光として、光学シート部６を通じて液晶パネル４の裏面に照射される。このとき、ＬＥＤ１２からの光を液晶パネル４に向けてなるべく垂直に近い角度で立ち上げるよう、導光板８の裏面にはドットパターンなどの加工処理が施されている。
【００５６】
ＬＥＤ１２は点光源として機能する。このため導光板８の端面８ａに入射する光に、ＬＥＤ１２の配置間隔に起因する光度ムラが生ずる可能性がある。ＬＥＤ１２の発する光の分布は、円形になることが知られている。このため、ＬＥＤ１２から導光板８までの間隔Ｈを変化させていくと、この光度ムラが増減する。
【００５７】
一般に、ＬＥＤ１２から導光板８までの間隔Ｈが短くなるにしたがって、ＬＥＤ間における光度の低下が大きくなり光度ムラも大きくなる。一方、ＬＥＤ１２から導光板８までの間隔Ｈが広がるにしたがって光度ムラは小さくなるが、光混合部１６における光の拡散、吸収などによって導光板８の端面８ａに入射する光の光度平均は低下する。したがって、間隔Ｈは、導光板８の端面８ａにおける光度ムラおよび光度平均が要求値を満たすよう設定されることが求められる。ＬＥＤ１２がすべて等ピッチで配設されている場合、間隔Ｈを変化させて光度ムラが最小となる間隔Ｈを採用することが可能である。
【００５８】
図６は、本発明の画像表示装置５０内部のバックライト装置におけるＬＥＤ基板１１の配置構成及び組立方法の一例を説明するための構成図である。図７は、図６のＬＥＤ基板１１の配置をわかりやすく説明するための図である。図６や図７では、説明をわかりやすくするため、導光板８とＬＥＤ基板１１のみを図示してあり、その他の部材については図示を省略している。
【００５９】
図６において、導光板８の上辺の側面部の端面８ａには、ＬＥＤ基板１１０ａ１，１１０ａ２を配置させ、導光板８の左辺の側面部の端面８ａには、ＬＥＤ基板１１０ｂ１，１１０ｂ２を配置させ、導光板８の下辺の側面部の端面８ａには、ＬＥＤ基板１１０ｃ１，１１０ｃ２を配置させ、導光板８の右辺の側面部の端面８ａには、ＬＥＤ基板１１０ｄ１，１１０ｄ２を配置させている。
【００６０】
従って、図６に示す装置では、ＬＥＤ基板１１を導光板８の上下左右の辺の各端面８ａに対応する４辺に配置したので、この４辺それぞれからＬＥＤ光源の光を導光板８に入射させるようになっている。
【００６１】
なお、ＬＥＤ基板１１０ａ１，１１０ａ２，１１０ｂ１，１１０ｂ２，１１０ｃ１，１１０ｃ２，１１０ｄ１，１１０ｄ２の厚みＴｈは、図５に示すように、ベース基板１１ｋと実装されたＬＥＤ１２を合わせた厚みであり、いずれも同じ厚みである。
【００６２】
上辺のＬＥＤ基板１１０ａ１，１１０ａ２と下辺のＬＥＤ基板１１０ｃ１，１１０ｃ２とは、全て同一の基板（仕様を共通化したＬＥＤ基板）を複数枚（図６では各２枚）配置する構成としている。
【００６３】
即ち、ＬＥＤ基板１１０ａとＬＥＤ基板１１０ｃとは、ＬＥＤ基板の長辺方向の長さが全て同じ長さであり、各ＬＥＤ基板におけるＬＥＤ１２の実装数が同じで、それぞれのＬＥＤ１２は等ピッチで配置されている。
【００６４】
また、上辺のＬＥＤ基板１１０ａ１，１１０ａ２と下辺のＬＥＤ基板１１０ｃ１，１１０ｃ２とは、図７下側の破線部分にて示すように、導光板８の長手方向に対向する長辺において、長手方向の軸に対して重ならないように、対向する長辺でＬＥＤ基板１１０ａ、１１０ｃを交互にずらして配置させている。なお、交互にずらして配置とは、ＬＥＤ基板１１０ａ１とＬＥＤ基板１１０ｃ１の端部同士が対向（互いに向き合って位置）しないよう配置することが最適ではあるが、それぞれの基板の端部の一部が対向してもよい。また、導光板８の長辺の一方の側面に、導光板８の長辺の長さより基板の長辺の長さが小なる１または複数の第１のＬＥＤ基板１１０ａ１，１１０ａ２が配置されて、導光板８の長辺の他方の側面に、第１のＬＥＤ基板１１０ａ１，１１０ａ２と重ならないように１または複数の第２のＬＥＤ基板１１０ｃ１，１１０ｃ２が配置されている。ここで、以降、長手方向の軸とは、導光板８の長手方向の端面８ａに対向する長辺をいい、短手方向の軸とは、導光板８の短手方向の端面８ａに対向する短辺をいう。
【００６５】
なお、上辺のＬＥＤ基板１１０ａ１，１１０ａ２の長辺方向の長さと下辺のＬＥＤ基板１１０ｃ１，１１０ｃ２の長辺方向の長さを全て足し合わせた長さは、導光板８の長辺の一辺分の長さと等しい長さとしている。
【００６６】
左辺のＬＥＤ基板１１０ｂ１，１１０ｂ２と右辺のＬＥＤ基板１１０ｄ１，１１０ｄ２とは、全て同一の基板（仕様を共通化したＬＥＤ基板）を複数枚（図６では各２枚）配置する構成としている。
【００６７】
即ち、ＬＥＤ基板１１０ｂとＬＥＤ基板１１０ｄとは、ＬＥＤ基板の長辺方向の長さが全て同じ長さであり、各ＬＥＤ基板におけるＬＥＤ１２の実装数が同じで、それぞれのＬＥＤ１２は等ピッチで配置されている。
【００６８】
また、左辺のＬＥＤ基板１１０ｂ１，１１０ｂ２と右辺のＬＥＤ基板１１０ｄ１，１１０ｄ２とは、図７左側の破線部分にて示すように、導光板８の短手方向に対向する短辺において、短手方向の軸に対して重ならないように、対向する短辺でＬＥＤ基板１１０ｂ，１１０ｄを交互にずらして配置させている。
【００６９】
なお、左辺のＬＥＤ基板１１０ｂ１，１１０ｂ２の短辺方向の長さと右辺のＬＥＤ基板１１０ｄ１，１１０ｄ２の短辺方向の長さを全て足し合わせた長さは、導光板８の短辺の一辺分の長さと等しい長さとしている。
【００７０】
従って、図６におけるＬＥＤ基板１１０ａ〜１１０ｄの長さの合計は、導光板８の側面部の端面８ａに対して、長辺一辺分と短辺一辺分の合計２辺分から入光した場合と同等の長さである。
【００７１】
ところで、図６に示すように、ＬＥＤ基板１１０ａまたはＬＥＤ基板１１０ｃとＬＥＤ基板１１０ｂまたはＬＥＤ基板１１０ｄとは同一仕様の基板ではないため、ＬＥＤ基板の長辺方向の長さは異なっている。
【００７２】
即ち、図６に示す実施の形態では、ＬＥＤ基板１１を二種類の仕様の基板に共通化して配置する構成となっている。
【００７３】
これにより、製造・組立時に、各ＬＥＤ基板１１へのＬＥＤ１２の実装や、バックライト装置へのＬＥＤ基板１１の組み付けを共通化できて作業を容易に行うことができると共に、ＬＥＤ基板１１やＬＥＤドライバ及び放熱対策などのコストダウンを図ることが可能である。
【００７４】
なお、図６の一例では、長辺側上下及び短辺側左右に配置されているＬＥＤ基板１１の枚数を各２枚としてそれぞれ共通化したが、これに限定されるものではない。
【００７５】
また、長辺側上下または短辺側左右にそれぞれ仕様を共通化したＬＥＤ基板１１は、ＬＥＤ１２をそれぞれ等ピッチとしてピッチ配列を共通化したが、これに限定されるものではなく、例えば、共通化する基板毎に、ＬＥＤ１２のピッチ幅を変更したり、不均等なピッチ配列に変更したりしてもよい。
【００７６】
図６では、ＬＥＤ基板１１０ａ（またはＬＥＤ基板１１０ｃ）の長さが、ＬＥＤ基板１１０ｂ（またはＬＥＤ基板１１０ｄ）の長さよりも長い実施例を示したが、ＬＥＤ基板１１０ａの長さがＬＥＤ基板１１０ｂの長さより短くてもよい。
【００７７】
本実施例では、導光板８の四隅の角部には、長辺方向のＬＥＤ基板１１か短辺方向のＬＥＤ基板１１のどちらか一方のＬＥＤ基板１１のみを配置させている。
【００７８】
具体的には、左上の角部１７ａには短辺側のＬＥＤ基板１１０ｂ１を配置させ、左下の角部１７ｂには長辺側のＬＥＤ基板１１０ｃ１を配置させ、右下の角部１７ｃには短辺側のＬＥＤ基板１１０ｄ２を配置させ、右上の角部１７ｄには長辺側のＬＥＤ基板１１０ａ２を配置させている。
【００７９】
なお、ＬＥＤ基板１１の配置は図６の一例に限ることではなく、例えば、左上の角部１７ａには、短辺側のＬＥＤ基板１１０ｂ１を配置させる代わりに、長辺側のＬＥＤ基板１１０ａ１を配置させた構成でもよい。
【００８０】
以上のように、導光板８の４辺側面部の端面８ａにＬＥＤ基板１１を配置することにより、ＬＥＤ光源に起因する熱量が一部の辺に集中することがなく、熱源が４辺に分散されるので、画像表示装置本体における画像表示面外側の額縁部分の温度上昇を抑えることができると共に、額縁部分の温度を均一化することができる。
【００８１】
また、バックライトの四隅、即ち、導光板８の四隅の角部１７ａ〜１７ｄにおいて熱量が集中しなくなるため、熱の集中によるＬＥＤの駆動効率の悪化を抑制することができる。
【００８２】
それによって、局所的な箇所におけるＬＥＤの経時変化の悪化も抑えることができるため、ＬＥＤ光源の経時変化が全体的に均一化されると共に、ＬＥＤの駆動効率も全体的に良好な状態となるため、バックライト装置や画像表示装置５０の省エネ化に寄与すると共に、製品寿命についても向上させることができる。
【００８３】
図８は、本発明の画像表示装置におけるバックライトの要部の一例を示した構成図である。図８では、説明の都合上、パネルシャーシ７については外枠部分のみ図示している。
【００８４】
図８において、導光板８の側面部の端面８ａに配置するＬＥＤ基板１１は図６と同一であるため、同一符号を付すと共に、ＬＥＤ基板１１に関する主要な説明については適宜省略する。
【００８５】
図６の説明では便宜上省略したが、図４で説明したように、ＬＥＤ基板１１は各リブ体２ＲＴ，２ＲＬ，２ＲＢ，２ＲＲに接着部材１４にて接着された状態で取り付けられている。
【００８６】
図８において、ＬＥＤ基板１１０ａ１とＬＥＤ基板１１０ａ２は、上リブ体２ＲＴに取り付けられており、ＬＥＤ基板１１０ｂ１とＬＥＤ基板１１０ｂ２は、左リブ体２ＲＬに取り付けられており、ＬＥＤ基板１１０ｃ１とＬＥＤ基板１１０ｃ２は、下リブ体２ＲＢに取り付けられており、ＬＥＤ基板１１０ｄ１とＬＥＤ基板１１０ｄ２は、右リブ体２ＲＲに取り付けられている。
【００８７】
また、導光板８の側面部の端面８ａにおいて、ＬＥＤ基板１１が配置されていない端面領域には、後述するリブ体に接着して取り付けられてＬＥＤ光源の発熱を放熱するための追加放熱手段（放熱部）を備えている。
【００８８】
上リブ体２ＲＴに対しては上リブ体追加放熱手段２ＲＴａ１，２ＲＴａ２を取り付け、左リブ体２ＲＬに対しては左リブ体追加放熱手段２ＲＬｂ１，２ＲＬｂ２を取り付け、下リブ体２ＲＢに対しては下リブ体追加放熱手段２ＲＢｃ１，２ＲＢｃ２を取り付け、右リブ体２ＲＲに対しては右リブ体追加放熱手段２ＲＲｄ１，２ＲＲｄ２を取り付けている。それぞれの追加放熱手段の厚みは、ＬＥＤ基板１１０の厚みＴｈと等しい厚みとしている。
【００８９】
なお、図８の一例では、リブ体に接合する追加放熱手段を別部材としたが、追加放熱手段とリブ体を一体構成とした部材としてもよく、また、追加放熱手段とＬＥＤ基板及びリブ体を一体構成とした部材としてもよい。
【００９０】
さらに、追加放熱手段と導光板８との隙間に、導光板８の位置を固定し、導光板８とＬＥＤ１２との距離を一定にするための保持手段（保持部）を設けてもよい。
【００９１】
なお、保持手段は、導光板８に熱が伝わらないように断熱構造を備えて構成している。
【００９２】
図８の一例では、上リブ体追加放熱手段２ＲＴａ２に対して保持手段２ＲＴｈを接着して取り付け、左リブ体追加放熱手段２ＲＬｂ１に対して保持手段２ＲＬｈを接着して取り付け、下リブ体追加放熱手段２ＲＢｃ１に対して保持手段２ＲＢｈを接着して取り付け、右リブ体追加放熱手段２ＲＲｄ２に対して保持手段２ＲＲｈを接着して取り付ける構成となっている。
【００９３】
なお、追加放熱手段に取り付ける保持手段の位置はこれに限定されることはなく、他の位置の追加放熱手段に取り付けてもよい。
【００９４】
以上のように、導光板８の４辺側面部の端面８ａにＬＥＤ基板１１を配置すると共に、導光板８の長辺方向や短辺方向の各軸に対してＬＥＤ基板１１を重ならないように、対向する長辺や短辺で交互にずらして配置させることにより、光源に起因する熱量が一部の辺に集中することがなく、熱源が４辺に分散されると共に、各リブ体２ＲＴ，２ＲＢ，２ＲＬ，２ＲＲに対するＬＥＤ基板１１の接触面積が半減することとなり、各リブ体２ＲＴ，２ＲＢ，２ＲＬ，２ＲＲの放熱効果が増大し、画像表示面外側の額縁部分の温度上昇を抑えることが可能である。
【００９５】
また、導光板８の端面８ａにおいて、ＬＥＤ基板１１を配置していない領域、即ち、ＬＥＤ基板１１間の領域に対して、追加の放熱手段を備えることにより、リブ体全体の放熱効果をさらに向上させることができ、額縁部分の温度を低く抑えて均一化することができる。
【００９６】
これにより、パネルシャーシ７の外枠部を小さくすることが可能となるため、バックライトを狭額縁化させることができる。また、バックライトの奥行き方向への放熱容量を少なくすることも可能であり、バックライトを薄型化することができると共に、放熱対策によるコストアップを極力抑えることが可能である。
【００９７】
以上に説明した本実施形態を適用することによって、画像表示装置本体の薄型化や狭額縁化を実現したバックライト装置、画像表示装置５０及びバックライト装置の組立方法を提供することが可能となる。
【００９８】
図９と図１０は、本発明の画像表示装置５０内部のバックライト装置におけるＬＥＤ基板１１の他の配置構成及び組立方法の一例を示す図である。
【００９９】
図９は、長辺側上下の各辺に配置されているＬＥＤ基板１１の枚数をそれぞれ４枚とし、短辺側左右の各辺に配置されているＬＥＤ基板１１の枚数をそれぞれ３枚として、長辺側と短辺側とのＬＥＤ基板１１の配置枚数を異ならせて構成した例である。
【０１００】
図６や図８の一例では、長辺側と短辺側とのＬＥＤ基板の配置枚数を同じ枚数として構成したが、図９の一例のように、長辺の長さと短辺の長さが異なる場合に、その長さに応じて各辺に配置されているＬＥＤ基板の枚数を適宜異ならせて構成してもよい。
【０１０１】
図９の一例においても、図６の一例と同様に、上辺のＬＥＤ基板１１１ａ１，１１１ａ２，１１１ａ３，１１１ａ４と下辺のＬＥＤ基板１１１ｃ１，１１１ｃ２，１１１ｃ３，１１１ｃ４とは、全て同一の基板（仕様を共通化したＬＥＤ基板）を複数枚（図９では各４枚）配置する構成としている。
【０１０２】
即ち、ＬＥＤ基板１１１ａとＬＥＤ基板１１１ｃとは、ＬＥＤ基板の長辺方向の長さが全て同じ長さであり、各ＬＥＤ基板におけるＬＥＤ１２の実装数が同じで、それぞれのＬＥＤ１２は等ピッチで配置されている。
【０１０３】
また、導光板８の長手方向に対向する長辺において、長手方向の軸に対して重ならないように、対向する長辺でＬＥＤ基板１１を交互にずらして配置させている。
【０１０４】
なお、上辺のＬＥＤ基板１１１ａ１，１１１ａ２，１１１ａ３，１１１ａ４の長辺方向の長さと下辺のＬＥＤ基板１１１ｃ１，１１１ｃ２，１１１ｃ３，１１１ｃ４の長辺方向の長さを全て足し合わせた長さは、導光板８の長辺の一辺分の長さと等しい長さとしている。
【０１０５】
さらに、左辺のＬＥＤ基板１１１ｂ１，１１１ｂ２，１１１ｂ３と右辺のＬＥＤ基板１１１ｄ１，１１１ｄ２，１１１ｄ３とは、全て同一の基板（仕様を共通化したＬＥＤ基板）を複数枚（図９では各３枚）配置する構成としている。
【０１０６】
即ち、ＬＥＤ基板１１１ｂとＬＥＤ基板１１１ｄとは、ＬＥＤ基板の長辺方向の長さが全て同じ長さであり、各ＬＥＤ基板におけるＬＥＤ１２の実装数が同じで、それぞれのＬＥＤ１２は等ピッチで配置されている。
【０１０７】
また、導光板８の短手方向に対向する短辺において、短手方向の軸に対して重ならないように、対向する短辺でＬＥＤ基板を交互にずらして配置させている。
【０１０８】
また、左辺のＬＥＤ基板１１１ｂ１，１１１ｂ２，１１１ｂ３の短辺方向の長さと右辺のＬＥＤ基板１１１ｄ１，１１１ｄ２，１１１ｄ３の短辺方向の長さを全て足し合わせた長さは、導光板８の短辺の一辺分の長さと等しい長さとしている。
【０１０９】
従って、図９におけるＬＥＤ基板の長さの合計は、導光板８の側面部の端面８ａに対して、長辺一辺分と短辺一辺分の合計２辺分から入光した場合と同等の長さである。
【０１１０】
ところで、図９に示すように、ＬＥＤ基板１１１ａまたはＬＥＤ基板１１１ｃとＬＥＤ基板１１１ｂまたはＬＥＤ基板１１１ｄとは同一仕様の基板ではないため、ＬＥＤ基板の長辺方向の長さは異なっている。
【０１１１】
即ち、図９に示す実施の形態では、ＬＥＤ基板１１を二種類の仕様の基板に共通化して配置する構成となっている。
【０１１２】
これにより、製造・組立時に、各ＬＥＤ基板へのＬＥＤの実装や、バックライト装置へのＬＥＤ基板の組み付けを共通化できて作業を容易に行うことができると共に、ＬＥＤ基板やＬＥＤドライバ及び放熱対策などのコストダウンを図ることが可能である。
【０１１３】
図９の一例においても、図６の一例と同様に、導光板８の四隅の角部１７ａ〜１７ｄには、長辺方向のＬＥＤ基板か短辺方向のＬＥＤ基板のどちらか一方のＬＥＤ基板のみを配置させている。
【０１１４】
具体的には、左上の角部１７ａには短辺側のＬＥＤ基板１１１ｂ１を配置させ、左下の角部１７ｂには長辺側のＬＥＤ基板１１１ｃ１を配置させ、右下の角部１７ｃには短辺側のＬＥＤ基板１１１ｄ３を配置させ、右上の角部１７ｄには長辺側のＬＥＤ基板１１１ａ４を配置させている。
【０１１５】
なお、長辺側上下または短辺側左右にそれぞれ仕様を共通化したＬＥＤ基板１１は、ＬＥＤ１２をそれぞれ等ピッチとしてピッチ配列を共通化したが、これに限定されるものではなく、例えば、共通化する基板毎に、ＬＥＤ１２のピッチ幅を変更したり、不均等なピッチ配列に変更したりしてもよい。
【０１１６】
以上のように、導光板８の４辺側面部の端面８ａにＬＥＤ基板を配置することにより、ＬＥＤ光源に起因する熱量が一部の辺に集中することがなく、熱源が４辺に分散されるので、画像表示装置本体における画像表示面外側の額縁部分の温度上昇を抑えることができると共に、額縁部分の温度を均一化することができる。
【０１１７】
また、バックライトの四隅、即ち、導光板の四隅の角部において熱量が集中しなくなるため、熱の集中によるＬＥＤの駆動効率の悪化を抑制することができる。
【０１１８】
それによって、局所的な箇所におけるＬＥＤ１２の経時変化の悪化も抑えることができるため、ＬＥＤ光源の経時変化が全体的に均一化されると共に、ＬＥＤ１２の駆動効率も全体的に良好な状態となるため、バックライト装置や画像表示装置５０の省エネ化に寄与すると共に、製品寿命についても向上させることができる。
【０１１９】
図１０は、導光板８の長辺側上下の各辺に配置されているＬＥＤ基板１１と、短辺側左右の各辺に配置されているＬＥＤ基板１１とを全て同じ基板（全て一種類の仕様に共通化した基板）を用いることにより、ＬＥＤ基板１１の長辺方向の長さ（Ｌａ）を同じ長さとして、導光板８の端面８ａに配置した構成例である。
【０１２０】
図１０では、導光板８の縦横比が１６：９の一例であり、長辺側上下の各辺に配置されているＬＥＤ基板１１の枚数を１６枚とし、短辺側左右の各辺に配置されているＬＥＤ基板１１の枚数を９枚としている。
【０１２１】
このように、ＬＥＤ基板１１の長辺方向の長さを全て同じ長さに共通化して導光板８の端面８ａに配置することにより、製造・組立時において、各ＬＥＤ基板１１へのＬＥＤ光源の実装や組み付け作業の効率が上がると共に、ＬＥＤ基板１１を導光板８の端面８ａに効率的に配置することができるので、ＬＥＤ基板１１やＬＥＤドライバの設計効率も改善し、ＬＥＤ基板１１やＬＥＤドライバのコストダウンを実現することが可能である。
【０１２２】
なお、長辺側上下及び短辺側左右を全て同一仕様に共通化したＬＥＤ基板１１は、ＬＥＤ１２を全て等ピッチとしてピッチ配列を共通化しているが、これに限定されるものではなく、例えば、ＬＥＤ１２のピッチを不均等に配列したＬＥＤ基板１１として共通化されていてもよい。
【０１２３】
図９や図１０における構成例において、図８に示したような放熱構造を同様に適用することによって、バックライト装置の薄型化や狭額縁化を実現できると共に、バックライト装置や画像表示装置の放熱対策によるコストアップを極力抑えることが可能である。
【０１２４】
以上に説明した本実施形態を適用することによって、画像表示装置本体の薄型化や狭額縁化を実現したバックライト装置、画像表示装置５０及びバックライト装置の組立方法を提供することが可能となる。
【０１２５】
なお、本発明の実施例は、上述した構成及び構造に限定されたものではなく、本発明の要旨を逸脱しない範囲内において変形した構成に対しても適用することができるのは言うまでもない。
【０１２６】
また、本実施例では、光源を白色ＬＥＤとしているが、これに限定されるものではなく、例えばＲＧＢ各色の単色ＬＥＤを配置した構成であっても適用することができる。
【符号の説明】
【０１２７】
１  フロント側筐体
２  リア側筐体
２ＲＴａ１，２ＲＴａ２  上リブ体追加放熱手段（放熱部）
２ＲＢｃ１，２ＲＢｃ２  下リブ体追加放熱手段（放熱部）
２ＲＬｂ１，２ＲＬｂ２  左リブ体追加放熱手段（放熱部）
２ＲＲｄ１，２ＲＲｄ２  右リブ体追加放熱手段（放熱部）
２ＲＴｈ，２ＲＢｈ，２ＲＬｈ，２ＲＲｈ  保持手段（保持部）
３  筐体
４  液晶パネル（表示パネル）
４ａ  表示面
８  導光板
８ａ  端面
１１  ＬＥＤ基板
１１０ａ１，１１０ａ２  ＬＥＤ基板
１１０ｂ１，１１０ｂ２  ＬＥＤ基板
１１０ｃ１，１１０ｃ２  ＬＥＤ基板
１１０ｄ１，１１０ｄ２  ＬＥＤ基板
１１１ａ１，１１１ａ２，１１１ａ３，１１１ａ４  ＬＥＤ基板
１１１ｂ１，１１１ｂ２，１１１ｂ３  ＬＥＤ基板
１１１ｃ１，１１１ｃ２，１１１ｃ３，１１１ｃ４  ＬＥＤ基板
１１１ｄ１，１１１ｄ２，１１１ｄ３  ＬＥＤ基板
１１２ａ１，１１２ａ２，１１２ａ３，１１２ａ４  ＬＥＤ基板
１１２ａ５，１１２ａ６，１１２ａ７，１１２ａ８  ＬＥＤ基板
１１２ｂ１，１１２ｂ２，１１２ｂ３，１１２ｂ４，１１２ｂ５  ＬＥＤ基板
１１２ｃ１，１１２ｃ２，１１２ｃ３，１１２ｃ４  ＬＥＤ基板
１１２ｃ５，１１２ｃ６，１１２ｃ７，１１２ｃ８  ＬＥＤ基板
１１２ｄ１，１１２ｄ２，１１２ｄ３，１１２ｄ４  ＬＥＤ基板
１１ｋ  ベース基板
１２  ＬＥＤ
１７ａ，１７ｂ，１７ｃ，１７ｄ  四隅の角部
５０  画像表示装置
【図１】
0005617649.tif 000002
【図２】
0005617649.tif 000003
【図３】
0005617649.tif 000004
【図４】
0005617649.tif 000005
【図５】
0005617649.tif 000006
【図６】
0005617649.tif 000007
【図７】
0005617649.tif 000008
【図８】
0005617649.tif 000009
【図９】
0005617649.tif 000010
【図１０】
0005617649.tif 000011